(57)【要約】【課題】製造コストを抑えて適切な空調制御を行うことができる車両用空調装置を提供する。【解決手段】車両用空調装置の制御装置は、外気温センサから得られた外気温値を所定時間毎に外気温蓄積データとしてＲＡＭに保存し、外気温値の検出開始から所定日数経過した場合には、ＲＡＭに保存されている外気温蓄積データから最高気温データと最低気温データを検出し、これらのデータと、予めＲＡＭに保存されている外気温周期データとから、各外気温蓄積データの検出推定時刻を算出する。次に、制御装置は、検出推定時刻が算出された外気温蓄積データの差分値を算出し（ステップＳＣ１）、差分値の中で夜間の時間帯の差分値をゼロに補正して推定日射量を得る（ステップＳＣ２）。次に、制御装置３は、算出した推定日射量と、各センサ５〜８から得られた各温度値と、乗員が設定した温度や風量等の設定値とに基づいて車室内の空調制御を行う。【選択図】図７
2009062008.tif 000002
【特許請求の範囲】
【請求項１】
少なくとも外気温センサ及び室内温センサを用いて車室内の空調制御を行う車両用空調装置であって、
前記外気温センサから得られた外気温値を、所定時間毎に前記車両用空調装置の記憶手段に外気温蓄積データとして保存する外気温値取得手段と、
前記外気温値の検出開始から所定日数毎に、前記記憶手段に保存されている全ての前記外気温蓄積データの中で山を構成する最高気温データ及び谷を構成する最低気温データを検出する外気温値ピーク検出手段と、
検出した当該最高気温データ及び当該最低気温データと前記記憶手段に予め保存されている外気温の周期データとから各外気温蓄積データの検出推定時刻を算出する外気温値検出推定時刻算出手段と、
検出推定時刻が算出された全ての前記外気温蓄積データにおいて、時刻の古い方から順に等時間間隔で外気温蓄積データの差分値を算出し、算出した当該差分値の中で夜間の時間帯の差分値をゼロに補正して推定日射量を得る推定日射量算出手段と、
前記推定日射量と少なくとも前記外気温センサから得られた外気温値及び前記室内温センサから得られた車室内温度値とに基づいて車室内の空調制御を行う空調制御手段と、
を備えていることを特徴とする車両用空調装置。
【請求項２】
前記外気温値ピーク検出手段は、
前記記憶手段に保存されている前記外気温蓄積データを検出時刻の古い方から所定数連続した状態で順々に読み出し、読み出した各々の所定数の前記外気温蓄積データの平均値を計算して外気温平滑データを得る外気温平滑データ算出手段と、
得られた全ての前記外気温平滑データにおいて、時刻の古い方から順に等時間間隔で差分を計算して外気温平滑データの差分値を得る外気温平滑データ差分値算出手段と、
得られた全ての前記外気温平滑データの差分値の中で、当該差分値がマイナスからプラスに変わるときの外気温平滑データを前記最低気温データとして検出し、当該差分値がプラスからマイナスに変わるときの外気温平滑データを前記最高気温データとして検出する外気温平滑データピーク検出手段と、
を備えていることを特徴とする請求項１に記載の車両用空調装置。
【請求項３】
前記車両用空調装置は、前記推定日射量の算出終了毎に、前記記憶手段に保存されている全ての前記外気温蓄積データの中で前記最高気温データ以外の外気温蓄積データを削除し、残っている当該最高気温データから外気温の周期データを作成して前記記憶手段に保存する外気温周期データ作成手段をさらに備え、
前記外気温値検出推定時刻算出手段は、前記周期データ作成手段によって作成された外気温の周期データと、前記外気温値ピーク検出手段によって新たに得られた前記最高気温データ及び前記最低気温データとから、前記外気温値取得手段によって前記記憶手段に新たに保存された前記各外気温蓄積データの検出推定時刻を算出するように構成されていることを特徴とする請求項１または請求項２に記載の車両用空調装置。
【請求項４】
前記車両用空調装置は、前記推定日射量の算出終了毎に、前記記憶手段に保存されている全ての前記外気温蓄積データの中で前記最高気温データ及び前記最低気温データ以外の外気温蓄積データを削除して、残っている当該最高気温データ及び当該最低気温データとから外気温の周期データを作成して前記記憶手段に保存する外気温周期データ作成手段をさらに備え、
前記外気温値検出推定時刻算出手段は、前記周期データ作成手段によって作成された外気温の周期データと、前記外気温値ピーク検出手段によって新たに得られた前記最高気温データ及び前記最低気温データとから、前記外気温値取得手段によって前記記憶手段に新たに保存された前記各外気温蓄積データの検出推定時刻を算出するように構成されていることを特徴とする請求項１または請求項２に記載の車両用空調装置。
【請求項５】
前記推定日射量算出手段は、
前記外気温値の検出開始から前記所定日数より長い所定期間毎に、前記記憶手段に保存されている全ての前記最高気温データの平均値を計算するように構成されている一方、
当該最高気温データの平均値が、前記記憶手段に予め保存されている夏の閾値よりも大きいと判断した場合には、前記外気温蓄積データの差分値の算出後に、昼間の時間帯を所定時間長く補正するとともに、補正した昼間の時間帯の差分値を所定量多く補正した上で、夜間の時間帯の差分値をゼロに補正して夏用の推定日射量を得るように構成され、
前記空調制御手段は、得られた当該夏用の推定日射量と、少なくとも前記外気温値及び前記車室内温度値とに基づいて通常の空調制御よりも強い空調制御を行うように構成され、
前記推定日射量算出手段は、当該最高気温データの平均値が、前記記憶手段に予め保存されている冬の閾値よりも小さいと判断した場合には、前記外気温蓄積データの差分値の算出後に、昼間の時間帯を所定時間短く補正するとともに、補正した昼間の時間帯の差分値を所定量少なく補正した上で、夜間の時間帯の差分値をゼロに補正して冬用の推定日射量を得るように構成され、
前記空調制御手段は、得られた当該冬用の推定日射量と、少なくとも前記外気温値及び前記車室内温度値とに基づいて通常の空調制御よりも弱い空調制御を行うように構成され、
前記推定日射量算出手段は、当該最高気温データの平均値が、前記記憶手段に予め保存されている夏の閾値よりも小さく、且つ、冬の閾値よりも大きいと判断した場合には、前記外気温蓄積データの差分値の算出後に、夜間の時間帯の差分値をゼロに補正して春秋用の推定日射量を得るように構成され、
前記空調制御手段は、得られた当該春秋用の推定日射量と、少なくとも前記外気温値及び前記車室内温度値とに基づいて通常の空調制御を行うように構成されていることを特徴とする請求項１〜請求項４に記載の車両用空調装置。
【請求項６】
前記推定日射量算出手段は、通常の車両よりも日射の影響を大きく受ける車両の場合には、算出した前記推定日射量に所定の重みを付けるとともに、当該推定日射量の立ち上がりを滑らかにする補正をして当該車両用の推定日射量を得るように構成され、
前記空調制御手段は、当該車両用の推定日射量と、少なくとも前記外気温値及び前記車室内温度値とに基づいて、通常の車両の場合の空調制御よりも強い空調制御を行うように構成されていることを特徴とする請求項１〜請求項５のいずれか１項に記載の車両用空調装置。
【発明の詳細な説明】
【技術分野】
【０００１】
本件発明は、少なくとも外気温センサ及び室内温センサを用いて車室内の空調制御を行う車両用空調装置に関する。
【背景技術】
【０００２】
従来の自動車等の車両用空調装置は、外気温センサ、室内温センサ、日射センサ等から得られた各検出値と、乗員が操作部によって設定した温度や風量等とに基づいて車室内の空調制御を行っている。しかし、日射センサは非常に高価なものであるため、この日射センサを用いずに適切な空調制御を行うことが可能な空調装置が求められている。
【０００３】
例えば、特許文献１（特開２００６−３２１４２８号公報）に記載されている空調装置では、日射センサが故障した場合に、前照灯のスイッチの状態を判断して空調制御を行っている。具体的に説明すると、この空調装置は、日射センサが故障した場合に、前照灯のスイッチがオフまたはオンの状態から昼夜を判断して、この判断結果を空調制御に反映している。したがって、日射センサを用いずに、前照灯を用いて空調制御を行う空調装置が考えられる。
【０００４】
しかしながら、乗員は、昼間時でも前照灯を使用することがある。例えば、悪天候の場合や、自動車が長いトンネル内に入った場合である。このことから、前照灯のスイッチの状態から昼夜を判断することは確実であるといえない。したがって、前照灯のスイッチの状態を利用した空調装置では、適切な空調制御を行うことは難しい。
【０００５】
これを解決するために、例えば、特許文献２（特開２００４−０９８９２４号公報）に記載されている空調装置では、ナビゲーションシステムを用いている。具体的に説明すると、この空調装置は、ナビゲーションシステムから得られる時刻情報や位置情報から車外環境を判断し、この判断結果を空調制御に反映している。したがって、日射センサを用いずに、ナビゲーションシステムを用いて空調制御を行う空調装置が考えられる。
【０００６】
【特許文献１】特開２００６−３２１４２８号公報
【特許文献２】特開２００４−０９８９２４号公報
【発明の開示】
【発明が解決しようとする課題】
【０００７】
しかしながら、ナビゲーションシステムは非常に高価なものであるため、ナビゲーションシステムを用いた空調装置は、製造コストが大幅にかかる。そこで、時刻情報等を得るために、空調装置に別の通信ユニットや時計を搭載することが考えられる。しかし、この場合でも、製造コストが大幅にかかる。また、通信ユニットや時計は、バッテリーを外すとリセットされてしまうので、正しい時刻情報が得られない場合がある。
【０００８】
本件発明は、かかる従来の課題に鑑みてなされたものであり、製造コストを抑えて適切な空調制御を行うことができる車両用空調装置を提供することを目的とする。
【課題を解決するための手段】
【０００９】
前記課題を解決するために本件発明の車両用空調装置においては、少なくとも外気温センサ及び室内温センサを用いて車室内の空調制御を行う車両用空調装置であって、前記外気温センサから得られた外気温値を、所定時間毎に前記車両用空調装置の記憶手段に外気温蓄積データとして保存する外気温値取得手段と、前記外気温値の検出開始から所定日数毎に、前記記憶手段に保存されている全ての前記外気温蓄積データの中で山を構成する最高気温データ及び谷を構成する最低気温データを検出する外気温値ピーク検出手段と、検出した当該最高気温データ及び当該最低気温データと前記記憶手段に予め保存されている外気温の周期データとから各外気温蓄積データの検出推定時刻を算出する外気温値検出推定時刻算出手段と、検出推定時刻が算出された全ての前記外気温蓄積データにおいて、時刻の古い方から順に等時間間隔で外気温蓄積データの差分値を算出し、算出した当該差分値の中で夜間の時間帯の差分値をゼロに補正して推定日射量を得る推定日射量算出手段と、前記推定日射量と少なくとも前記外気温センサから得られた外気温値及び前記室内温センサから得られた車室内温度値とに基づいて車室内の空調制御を行う空調制御手段と、を備えていることを特徴としている。
【００１０】
かかる構成において、本件発明の車両用空調装置は、日射センサや高価な代替品を使用せずに適切な空調制御を行うことが可能になる。
【００１１】
また、本件発明の車両用空調装置においては、前記外気温値ピーク検出手段は、前記記憶手段に保存されている前記外気温蓄積データを検出時刻の古い方から所定数連続した状態で順々に読み出し、読み出した各々の所定数の前記外気温蓄積データの平均値を計算して外気温平滑データを得る外気温平滑データ算出手段と、得られた全ての前記外気温平滑データにおいて、時刻の古い方から順に等時間間隔で差分を計算して外気温平滑データの差分値を得る外気温平滑データ差分値算出手段と、得られた全ての前記外気温平滑データの差分値の中で、当該差分値がマイナスからプラスに変わるときの外気温平滑データを前記最低気温データとして検出し、当該差分値がプラスからマイナスに変わるときの外気温平滑データを前記最高気温データとして検出する外気温平滑データピーク検出手段と、を備えていることを特徴としている。
【００１２】
かかる構成において、本件発明の車両用空調装置は、外気温平滑データを用いない場合に比べて、最高気温データ及び最低気温データを検出しやすくなるので、日射量を容易に推定することが可能になる。
【００１３】
また、本件発明の車両用空調装置においては、前記推定日射量の算出終了毎に、前記記憶手段に保存されている全ての前記外気温蓄積データの中で前記最高気温データ以外の外気温蓄積データを削除し、残っている当該最高気温データから外気温の周期データを作成して前記記憶手段に保存する外気温周期データ作成手段をさらに備え、前記外気温値検出推定時刻算出手段は、前記周期データ作成手段によって作成された外気温の周期データと、前記外気温値ピーク検出手段によって新たに得られた前記最高気温データ及び前記最低気温データとから、前記外気温値取得手段によって前記記憶手段に新たに保存された前記各外気温蓄積データの検出推定時刻を算出するように構成されていることを特徴としている。
【００１４】
かかる構成において、本件発明の車両用空調装置は、記憶手段に保存する外気温蓄積データの量が最小限に抑えられるので、容量の少ない記憶手段を使用することが可能になる。
【００１５】
また、本件発明の車両用空調装置においては、前記推定日射量の算出終了毎に、前記記憶手段に保存されている全ての前記外気温蓄積データの中で前記最高気温データ及び前記最低気温データ以外の外気温蓄積データを削除して、残っている当該最高気温データ及び当該最低気温データとから外気温の周期データを作成して前記記憶手段に保存する外気温周期データ作成手段をさらに備え、前記外気温値検出推定時刻算出手段は、前記周期データ作成手段によって作成された外気温の周期データと、前記外気温値ピーク検出手段によって新たに得られた前記最高気温データ及び前記最低気温データとから、前記外気温値取得手段によって前記記憶手段に新たに保存された前記各外気温蓄積データの検出推定時刻を算出するように構成されていることを特徴としている。
【００１６】
かかる構成において、本件発明の車両用空調装置は、記憶手段に保存する外気温蓄積データの量が抑えられるので、容量の少ない記憶手段を使用することが可能になる。さらに、本件発明の車両用空調装置では、最高気温データのみから外気温の周期データを作成する場合に比べて、周期データの作成に必要なデータ数が増えるので、周期データの精度を高めることができる。
【００１７】
また、本件発明の車両用空調装置においては、前記推定日射量算出手段は、前記外気温値の検出開始から前記所定日数より長い所定期間毎に、前記記憶手段に保存されている全ての前記最高気温データの平均値を計算するように構成されている一方、当該最高気温データの平均値が、前記記憶手段に予め保存されている夏の閾値よりも大きいと判断した場合には、前記外気温蓄積データの差分値の算出後に、昼間の時間帯を所定時間長く補正するとともに、補正した昼間の時間帯の差分値を所定量多く補正した上で、夜間の時間帯の差分値をゼロに補正して夏用の推定日射量を得るように構成され、前記空調制御手段は、得られた当該夏用の推定日射量と、少なくとも前記外気温値及び前記車室内温度値とに基づいて通常の空調制御よりも強い空調制御を行うように構成され、前記推定日射量算出手段は、当該最高気温データの平均値が、前記記憶手段に予め保存されている冬の閾値よりも小さいと判断した場合には、前記外気温蓄積データの差分値の算出後に、昼間の時間帯を所定時間短く補正するとともに、補正した昼間の時間帯の差分値を所定量少なく補正した上で、夜間の時間帯の差分値をゼロに補正して冬用の推定日射量を得るように構成され、前記空調制御手段は、得られた当該冬用の推定日射量と、少なくとも前記外気温値及び前記車室内温度値とに基づいて通常の空調制御よりも弱い空調制御を行うように構成され、前記推定日射量算出手段は、当該最高気温データの平均値が、前記記憶手段に予め保存されている夏の閾値よりも小さく、且つ、冬の閾値よりも大きいと判断した場合には、前記外気温蓄積データの差分値の算出後に、夜間の時間帯の差分値をゼロに補正して春秋用の推定日射量を得るように構成され、前記空調制御手段は、得られた当該春秋用の推定日射量と、少なくとも前記外気温値及び前記車室内温度値とに基づいて通常の空調制御を行うように構成されていることを特徴としている。
【００１８】
かかる構成において、本件発明の車両用空調装置は、季節が変わっても適切な空調制御を行うことが可能になる。
【００１９】
また、本件発明の車両用空調装置においては、前記推定日射量算出手段は、通常の車両よりも日射の影響を大きく受ける車両の場合には、算出した前記推定日射量に所定の重みを付けるとともに、当該推定日射量の立ち上がりを滑らかにする補正をして当該車両用の推定日射量を得るように構成され、前記空調制御手段は、当該車両用の推定日射量と、少なくとも前記外気温値及び前記車室内温度値とに基づいて、通常の車両の場合の空調制御よりも強い空調制御を行うように構成されていることを特徴としている。
【００２０】
かかる構成において、本件発明の車両用空調装置は、日射の影響を大きく受ける車両であっても、適切な空調制御を行うことが可能になる。
【発明の効果】
【００２１】
本件発明の車両用空調装置では、外気温センサを用いて日射量を推定するようにした。これにより、本件発明の車両用空調装置は、日射センサや高価な代替品を使用せずに適切な空調制御を行うことが可能になる。よって、本件発明の車両用空調装置は、製造コストを抑えて適切な空調制御を行うことができる。
【００２２】
また、本件発明の車両用空調装置では、外気温平滑データを用いて最高気温データ及び最低気温データを検出するようにした。このため、本件発明の車両用空調装置は、外気温平滑データを用いない場合に比べて最高気温データ及び最低気温データを検出しやすくなるので、日射量を容易に推定することが可能になる。よって、本件発明の車両用空調装置は、空調制御の処理効率を高めることができる。
【００２３】
また、本件発明の車両用空調装置では、日射量の推定終了毎に最高気温データのみを残して、この最高気温データから外気温の周期データを作成するようにした。このため、本件発明の車両用空調装置は、記憶手段に保存する外気温蓄積データの量が最小限に抑えられるので、容量の少ない記憶手段を使用することが可能になる。よって、本件発明の車両用空調装置は、製造コストをさらに低く抑えることができる。
【００２４】
また、本件発明の車両用空調装置では、日射量の推定終了毎に最高気温データと最低気温データを残すようにした。これにより、本件発明の車両用空調装置は、記憶手段に保存する外気温蓄積データの量が抑えられるので、容量の少ない記憶手段を使用することが可能になる。よって、本件発明の車両用空調装置は、製造コストをさらに低く抑えることができる。
【００２５】
さらに、本件発明の車両用空調装置では、記憶手段に残されている最高気温データと最低気温データとから周期データを作成するようにした。このため、本件発明の車両用空調装置は、最高気温データのみから周期データを作成する場合に比べて、周期データの作成に必要なデータ数が増えるので、周期データの精度を高めることができる。その結果、本件発明の車両用空調装置は、検出した最高気温データの値と最低気温データの値が適切でなくても、外気温蓄積データの検出時刻を推定することが可能になる。よって、本件発明の車両用空調装置は、空調制御の処理性能をさらに高めることができる。
【００２６】
また、本件発明の車両用空調装置では、季節毎に日射量を推定して空調制御を行うようにした。このため、本件発明の車両用空調装置は、季節が変わっても適切な空調制御を行うことが可能になる。よって、本件発明の車両用空調装置は、空調制御の処理性能をさらに高めることができる。
【００２７】
また、本件発明の車両用空調装置では、通常の車両よりも日射の影響を大きく受ける車両の場合でも、車両に応じた日射量を推定するようにした。このため、本件発明の車両用空調装置は、日射の影響を大きく受ける車両であっても、適切な空調制御を行うことが可能になる。よって、本件発明の車両用空調装置は、空調制御の処理性能をさらに高めることができる。
【発明を実施するための最良の形態】
【００２８】
以下、本件発明の実施の形態を図にしたがって説明する。
【００２９】
第１の実施の形態：
図１は、本件発明の第１の実施の形態を示す車両用空調装置１のブロック図である。この車両用空調装置１は、空調装置本体２と、制御装置３と、操作部４と、水温センサ５と、吸気温センサ６と、室内温センサ７と、外気温センサ８とを備えている。
【００３０】
空調装置本体２は車室内の空調を行うものであり、吹出口等を備えている。制御装置３は、空調装置本体２に接続されている。この制御装置３は、空調装置本体２の動作を制御するものである。具体的に説明すると、この制御装置３は、ＣＰＵ、処理手順や各種データ等が記憶されたＲＯＭ、処理中のデータ等を記憶するＲＡＭ、タイマー等を備えている。なお、本件発明にかかる各処理手段等は、この制御装置３に備えられている。
【００３１】
操作部４は、制御装置３に接続されている。この操作部４は、インストルメントパネル等に設けられており、乗員が車室内の温度設定や風量設定を行うために使用される。具体的に説明すると、この操作部４は、空調装置１のスイッチ、車室内の温度設定や風量設定を行うための各種ボタン等を備えている。
【００３２】
各センサ５〜８は、制御装置３に接続されている。水温センサ５は、エンジンの冷却水温度を検出するためのセンサである。吸気温センサ６は、エンジンの吸入空気温度を検出するためのセンサである。室内温センサ７は、車室内温度を検出するためのセンサである。この室内温センサ７は、インストルメントパネルに設けられている。外気温センサ８は、外気温（車外気温）を検出するためのセンサである。この外気温センサ８は、フロントグリル付近に設けられている。
【００３３】
次に、空調装置１による車室内の空調制御処理について説明する。まず、乗員が操作部４の空調装置１のスイッチをオンにする。すると、各センサ５〜８は、それぞれセンサ値を検出して制御装置３に入力する。制御装置３は入力された各センサ値から、エンジンの冷却水温度値、エンジンの吸入空気温度値、車室内温度値、外気温値を演算して求める。
【００３４】
ここで、本実施の形態の制御装置３では、外気温センサ８から得られた外気温値から日射量を推定するように構成されている。この制御処理は、外気温値の保存処理、保存した外気温値の検出時刻を推定する処理、保存した外気温値の検出時刻に基づいて日射量を推定する処理の順に行われる。以下、この内容について具体的に説明する。
【００３５】
図２は、外気温センサ８による入力・保存処理を示すフローチャートである。まず、制御装置３は、空調装置１のスイッチがＯＮであるか否かを判断する（ステップＳＡ１）。制御装置３は、空調装置１のスイッチがＯＦＦであると判断した場合には（ステップＳＡ１の判断結果がＮＯ）、外気温値の保存周期が所定時間を経過しているか否かを判断する（ステップＳＡ２）。
【００３６】
制御装置３は、外気温値の保存周期が所定時間を経過していると判断した場合には（ステップＳＡ２の判断結果がＹＥＳ）、外気温センサ値を読み込む（ステップＳＡ３）。一方、制御装置３は、外気温センサ値の保存周期が所定時間を経過していないと判断した場合には（ステップＳＡ２の判断結果がＮＯ）、空調装置１のスイッチがＯＮであるか否かを再び判断する。次に、制御装置３は、読み込んだ外気温センサ値から外気温値を演算して求める（ステップＳＡ４）。さらに、制御装置３は、求めた外気温値を外気温蓄積データとしてＲＡＭに保存する（ステップＳＡ５）。
【００３７】
一方、制御装置３は、空調装置１のスイッチがＯＮであると判断した場合には（ステップＳＡ１の判断結果がＹＥＳ）、外気温センサ値を常時読み込む（ステップＳＡ６）。次に、制御装置３は、読み込んだ外気温センサ値から外気温値を演算して求める（ステップＳＡ７）。次に、制御装置３は、外気温値の保存周期が所定時間を経過しているか否かを判断する（ステップＳＡ８）。
【００３８】
制御装置３は、外気温値の保存周期が所定時間を経過していると判断した場合には（ステップＳＡ８の判断結果がＹＥＳ）、求めた外気温値を外気温蓄積データとしてＲＡＭに保存する（ステップＳＡ５）。図３に、ＲＡＭに保存された外気温蓄積データＤ１をグラフ化したものを示す。一方、制御装置３は、外気温値の保存周期が所定時間を経過していないと判断した場合には（ステップＳＡ８の判断結果がＮＯ）、この外気温値を、他の各センサから得られた温度値とともに空調制御処理に使用する。
【００３９】
なお、外気温値の保存周期の開始は、車両の出荷時に合わせてタイマーに設定される。この外気温値の保存周期は３０分が好ましい。ここで、外気温値の保存周期が３０分より短くなると、ＲＡＭに保存される外気温蓄積データの量が多くなる。このため、大容量のＲＡＭが必要となる。したがって、非常に高価な制御装置３が必要になるおそれがある。一方、外気温値の保存周期が３０分より長くなると、ＲＡＭに保存される外気温蓄積データの量が少なくなる。したがって、外気温蓄積データを使用して推定される日射量の精度が低下するおそれがある。
【００４０】
次に、制御装置３は、外気温値の検出時刻を推定する処理を行う。図４は、その処理を示すフローチャートである。まず、制御装置３は、外気温値の検出開始から所定日数経過しているか否かを判断する（ステップＳＢ１）。制御装置３は、外気温値の検出開始から所定日数経過していると判断した場合には（ステップＳＢ１でＹＥＳ）、外気温平滑データを算出する（ステップＳＢ２）。以下に、この外気温平滑データの算出方法について説明する。
【００４１】
この外気温平滑データの算出方法は、ＲＡＭに保存されている外気温蓄積データを所定数読み出して、その平均値を計算するというものである。この平均値が外気温平滑データとなる。この計算方法を具体的に説明する。制御装置３は、ＲＡＭに保存されている外気温蓄積データを、検出時刻の古い方から所定数連続した状態で読み出し、読み出した所定数の外気温蓄積データの平均値を計算する。次に、制御装置３は、ＲＡＭに保存されている外気温蓄積データを、検出時刻の二番目に古い方から所定数連続した状態で読み出し、読み出した所定数の外気温蓄積データの平均値を計算する。
【００４２】
このように、制御装置３は、ＲＡＭに保存されている外気温蓄積データを、検出時刻の古い方から一個ずつずらしながら所定数連続した状態で読み出し、読み出した所定数の外気温蓄積データの平均値を計算する。これにより、制御装置３は、外気温平滑データを所定数得る。図３に、得られた所定数の外気温平滑データＤ２をグラフ化したものを示す。
【００４３】
なお、ＲＡＭから読み出される外気温蓄積データの数は、３０分毎に外気温値がＲＡＭに保存される場合に２１個（１０時間分）が好ましい。ここで、ＲＡＭから読み出される外気温蓄積データの数が２１個よりも少ないと、これらの外気温蓄積データを用いて得られる外気温平滑データの精度が低下するおそれがある。一方、ＲＡＭから読み出される外気温蓄積データの数が２１個よりも多いと、これらの外気温蓄積データを用いて得られる外気温平滑データの数が少なくなる。このため、これらの外気温平滑データに基づいてこの後の処理によって推定される日射量の精度が低下するおそれがある。
【００４４】
また、外気温平滑データを算出するためにＲＡＭに保存される外気温蓄積データの蓄積期間は一週間が好ましい。外気温蓄積データの蓄積期間が一週間よりも少ないと、外気温平滑データの計算に必要な外気温蓄積データの数が少なくなる。このため、得られる外気温平滑データの精度が低下するおそれがある。一方、外気温蓄積データの蓄積期間が一週間よりも多いと、外気温平滑データの平均値の算出処理回数が多くなる。このため、外気温平滑データの平均値を求めるまでの時間が必要以上にかかるおそれがある。
【００４５】
次に、制御装置３は、外気温平滑データの差分値を算出する（ステップＳＢ３）。以下に、外気温平滑データの差分値の算出方法について説明する。
【００４６】
この外気温平滑データの差分値の算出方法は、ステップＳＢ２の処理によって得られた所定数の外気温平滑データにおいて、検出時刻の古い方から順に等時間間隔で差分値を算出するというものである。これを詳しく説明する。まず最初に、制御装置３は、外気温平滑データを、検出時刻の一番古い方から順に等時間間隔で二個選択して、新しい方の値から古い方の値を引く。この計算によって得られる値が、外気温平滑データの差分値である。次に、制御装置３は、外気温平滑データを、検出時刻の二番目に古い方から順に、等時間間隔で二個選択して、新しい方の値から古い方の値を引くことにより差分値を得る。
【００４７】
このように制御装置３は、外気温平滑データを、検出時刻の一番古い方から順に等時間間隔で二個選択し、新しい方の値から古い方の値を引くことにより、外気温平滑データの差分値を所定数得る。図５に、得られた外気温平滑データの差分値Ｄ３をグラフ化したものを示す。
【００４８】
なお、選択する二個の外気温平滑データの間隔は、一つおきが好ましい。ここで、間隔をあけずに外気温平滑データを二個ずつ選択する場合には、外気温平滑データの差分値の算出処理回数が非常に多くなる。このため、処理に時間がかかってしまう。一方、選択する二個の外気温平滑データの間隔が二つおき以上になると、得られる差分値が少なくなるので、これらの差分値に基づいて、この後の処理によって推定される日射量の精度が低下するおそれがある。
【００４９】
次に、制御装置３は、ステップＳＢ３の処理によって得られた所定数の外気温平滑データの差分値の中で、検出時刻の古い方から順に、時刻順に連続している二つの差分値の積がマイナスであるか否かを判断する（ステップＳＢ４）。制御装置３は、連続する二つの差分値の積がマイナスであると判断した場合には（ステップＳＢ４でＹＥＳ）、検出時刻の新しい方の差分値がプラスであるか否かを判断する（ステップＳＢ５）。
【００５０】
制御装置３は、検出時刻の新しい方の差分値がプラスであると判断した場合には（ステップＳＢ５でＹＥＳ）、二つの差分値がマイナスからプラスに変わると判断し、このときの外気温平滑データを最低気温データとして検出する（ステップＳＢ６）。この最低気温データは、図６の矢印Ｄ２ｍｉｎで示されるように、ＲＡＭに保存されている全ての外気温平滑データＤ２の中で谷を構成しているデータである。
【００５１】
一方、制御装置３は、検出時刻の新しい方の差分値がマイナスであると判断した場合には（ステップＳＢ５でＮＯ）、二つの差分値がプラスからマイナスに変わると判断し、このときの外気温平滑データを最高気温データとして検出する（ステップＳＢ７）。この最高気温データは、図６の矢印Ｄ２ｍａｘで示されるように、ＲＡＭに保存されている全ての外気温平滑データＤ２の中で山を構成しているデータである。
【００５２】
次に、制御装置３は、ステップＳＢ６の処理によって得られた最低気温データと、ステップＳＢ７の処理によって得られた最高気温データと、外気温の周期データとから、各外気温蓄積データの検出推定時刻を算出する（ステップＳＢ８）。なお、外気温の周期データは、制御装置３のＲＯＭに予め保存されており、検出推定時刻の算出の際に読み出される。
【００５３】
次に、制御装置３は、日射量を推定する処理を行う。図７は、その処理を示すフローチャートである。制御装置３は、まず最初に、外気温蓄積データの差分値を算出する（ステップＳＣ１）。以下に、外気温蓄積データの差分値の算出方法について説明する。
【００５４】
この外気温蓄積データの差分値の算出方法は、検出推定時刻が算出された各外気温蓄積データに対して、検出推定時刻の古い方から順に等時間間隔で外気温蓄積データの差分値を算出するというものである。これを詳しく説明する。まず、制御装置３は、ＲＡＭに保存されている外気温蓄積データを、検出推定時刻の一番古い方から順に、等時間間隔で二個読み出して、新しい方の値から古い方の値を引く。この計算によって得られる値が、外気温蓄積データの差分値となる。次に、制御装置３は、外気温蓄積データを、検出時刻の二番目に古い方から順に等時間間隔で二個読み出して、新しい方の値から古い方の値を引く。
【００５５】
このように制御装置３は、ＲＡＭに保存されている各外気温蓄積データを、検出推定時刻の一番古い方から順に等時間間隔で二個ずつ選択して、新しい方の値から古い方の値を引くことにより、外気温蓄積データの差分値を所定数得る。図８に、得られた外気温蓄積データの差分値Ｄ４をグラフ化したものを示す。
【００５６】
なお、ＲＡＭから読み出される二個の外気温蓄積データの間隔は一つおきが好ましい。例えば、外気温値の保存周期が３０分の場合には６０分間隔が好ましい。この間隔がない場合、つまり保存周期と同じ間隔（例えば３０分間隔）の場合には、外気温蓄積データの差分値の算出処理回数が非常に多くなる。このため、処理に時間がかかる。一方、ＲＡＭから読み出される二個の外気温蓄積データの間隔が二つおき以上になると、得られる差分値が少なくなる。このため、これらの差分値に基づいて推定される日射量の精度が低下するおそれがある。
【００５７】
次に、制御装置３は、図７のステップＳＣ１の処理によって得られた外気温蓄積データの差分値の中で、夜間の時間帯の差分値（図９中の矢印Ｄ４ａの範囲）をゼロに補正する（ステップＳＣ２）。この補正の結果によって得られる昼間の差分値（図９中の矢印Ｄ４ｂの範囲）が推定日射量となる。なお、必要に応じて、この差分値に所定の重みを付けても良い。ここで、外気温蓄積データの差分値を推定日射量とした理由は、外気温が上昇している間は日射量が大きく、外気温が下降している間は日射量が小さいと推定されるので、この外気温の変化量を計算すれば日射量が推定されると考えられるからである。
【００５８】
次に、制御装置３は、推定日射量の算出後から所定日数経過しているか否かを判断する（ステップＳＣ３）。制御装置３は、推定日射量の算出後から所定日数経過していると判断した場合には（ステップＳＣ３でＹＥＳ）、図４のステップＳＢ２以降の処理を行う。このように、制御装置３は、外気温値の検出開始から所定日数毎に、図４に示した外気温値の検出推定時刻の算出処理と、図７に示した推定日射量の算出処理とを行う。
【００５９】
次に、制御装置３は、算出した推定日射量と、各センサ５〜８から得られたエンジンの冷却水温度値、エンジンの吸入空気温度値、車室内温度値、外気温値と、乗員が操作部４を用いて設定した温度や風量等の設定値とから制御信号を作成し、この制御信号を空調装置本体２に出力する。空調装置本体２は、制御装置３から入力された制御信号に基づいて、吹き出し口から吹き出される冷風や温風の温度、風量等の制御を行う。
【００６０】
以上説明したように本実施の形態の車両用空調装置１は、外気温センサ８を用いて日射量を推定している。したがって、本実施の形態の車両用空調装置１は、日射センサや、ナビゲーションシステムのような高価な代替品を使用せずに空調制御を行うことが可能になる。また、本実施の形態の車両用空調装置１は、従来の空調装置のように、前照灯の状態に影響されないので、適切な空調制御を行うことが可能になる。よって、本実施の形態の車両用空調装置１は、コストを抑えて適切な空調制御処理を行うことができる。
【００６１】
また、本実施の形態の車両用空調装置１では、ＲＡＭに保存されている外気温蓄積データから最高気温データと最低気温データとを検出するために、外気温平滑データを用いている。この外気温平滑データは、図３のＤ２に示されるように気温の変化が滑らかになっているので、外気温平滑データを用いない場合に比べて、最高気温データと最低気温データを検出しやすい。したがって、制御装置３は、日射量を容易に推定することが可能になる。よって、本実施の形態の車両用空調装置１は、空調制御の処理効率を高めることができる。
【００６２】
なお、本実施の形態において、図４のステップＳＢ８の処理の際に使用した外気温の周期データは、制御装置３のＲＯＭに予め保存されていたものである。しかし、ステップＳＢ８の処理後には、各外気温蓄積データの検出推定時刻が算出される。したがって、制御装置３は、外気温値の検出開始から最初の日射量を推定した後は、外気温蓄積データの検出推定時刻の算出毎に、これらの外気温蓄積データから外気温の周期データを順次作成し、この周期データを次回以降の日射量を推定する際に使用するようにしても良い。
【００６３】
第２の実施の形態：
本実施の形態では、第１の実施の形態の空調装置と同様に、空調装置本体２と、制御装置と、操作部４と、各センサ５〜８とを備えている（図１参照）。ここで、本実施の形態の制御装置では、第１の実施の形態で説明した内容と異なる部分を中心にして説明する。本実施の形態の制御装置では、推定日射量の算出終了毎に、外気温周期データ作成処理を行う。図１０は、外気温周期データ作成処理のフローチャートである。以下、この処理の内容について説明する。
【００６４】
本実施の形態の制御装置では、まず最初に、推定日射量の算出が終了したか否かを判断する（ステップＳＤ１）。制御装置は、推定日射量の算出が終了したと判断した場合には（ステップＳＤ１の判断結果がＹＥＳ）、ＲＡＭに保存されている全ての外気温蓄積データの中で最高気温データ以外の外気温蓄積データを削除する（ステップＳＤ２）。次に、制御装置は、ＲＡＭに残っている最高気温データから外気温の周期データを作成してＲＡＭに保存する（ステップＳＤ３）。
【００６５】
次に、制御装置は、図４のステップＳＢ８の処理の際に、図１０のステップＳＤ３の処理によって作成した外気温の周期データを使用する。これを具体的に説明すると、ステップＳＤ３の処理によって作成した外気温の周期データと、新たに得られる最高気温データ及び最低気温データとから各外気温蓄積データの検出推定時刻を算出する。なお、新たに得られる最高気温データ及び最低気温データとは、推定日射量の算出終了後に、新たにＲＡＭに保存される全ての外気温蓄積データから検出される最高気温データ及び最低気温データである。次に、制御装置は、第１の実施の形態と同様な方法によって推定日射量を算出した後、車室内の空調制御を行う。
【００６６】
このように、本実施の形態の車両用空調装置では、推定日射量の算出終了毎に、ＲＡＭから最高気温データ以外の外気温蓄積データを削除している。これにより、ＲＡＭに保存される外気温蓄積データの量が最小限に抑えられる。例えば、第１の実施の形態で説明したように３０分毎に外気温値がＲＡＭに保存されている場合には、ＲＡＭから最高気温データ以外の外気温蓄積データを削除することによって、外気温蓄積データの量を１／４８にすることができる。したがって、本実施の形態の車両用空調装置は、小容量のＲＡＭを使用することが可能になるので、製造コストをさらに低く抑えることができる。
【００６７】
第３の実施の形態：
本実施の形態の空調装置は、第１の実施の形態の空調装置と同様に、空調装置本体２と、制御装置と、操作部４と、各センサ５〜８とを備えている（図１参照）。ここで、本実施の形態の制御装置では、第１の実施の形態や第２の実施の形態で説明した内容と異なる部分を中心にして説明する。本実施の形態の制御装置では、推定日射量の算出終了毎に、外気温周期データ作成処理を行う。図１１は、外気温周期データ作成処理のフローチャートである。以下、この処理の内容について説明する。
【００６８】
本実施の形態の制御装置では、まず最初に、推定日射量の算出が終了したか否かを判断する（ステップＳＥ１）。制御装置は、推定日射量の算出が終了したと判断した場合には（ステップＳＥ１の判断結果がＹＥＳ）、ＲＡＭに保存されている全ての外気温蓄積データの中で最高気温データと最低気温データ以外の外気温蓄積データを削除する（ステップＳＥ２）。次に、制御装置は、ＲＡＭに残っている最高気温データと最低気温データとから外気温の周期データを作成してＲＡＭに保存する（ステップＳＥ３）。
【００６９】
次に、制御装置は、図４のステップＳＢ８の処理の際に、図１１のステップＳＥ３の処理によって作成した外気温の周期データを使用し、第２の実施の形態で説明した方法と同じ方法によって各外気温蓄積データの検出推定時刻を算出する。次に、制御装置は、第１の実施の形態と同様な方法によって推定日射量を算出した後、車室内の空調制御を行う。
【００７０】
このように、本実施の形態の車両用空調装置では、推定日射量の算出毎に、ＲＡＭから最高気温データと最低気温データ以外の外気温蓄積データを削除している。このため、ＲＡＭに保存する外気温蓄積データの量が抑えられる。例えば、第１の実施の形態で説明したように３０分毎に外気温値がＲＡＭに保存されている場合には、ＲＡＭから最高気温データと最低気温データ以外の外気温蓄積データを削除することによって、外気温蓄積データの量を１／２４にすることができる。したがって、本実施の形態の車両用空調装置は、小容量のＲＡＭを使用することが可能になるので、製造コストをさらに低く抑えることができる。
【００７１】
また、本実施の形態の車両用空調装置では、ＲＡＭに残っている最高気温データと最低気温データとから外気温の周期データを作成するようにした。したがって、本実施の形態の車両用空調装置は、第２の実施の形態の車両用空調装置のように最高気温データのみから外気温の周期データを作成する場合に比べて、外気温の周期データの作成に必要なデータ数が増えるので、外気温の周期データの精度を高めることができる。
【００７２】
したがって、本実施の形態の車両用空調装置は、図３の矢印Ｄ２ｂａｄに示すように、検出した最高気温データの値と最低気温データの値が不良でも、本実施の形態で作成した外気温の周期データを使用することにより、これらのデータの値をイレギュラーな値と判断して検出時刻推定の材料から外し、各外気温蓄積データの検出推定時刻を適切に算出することが可能になる。よって、本実施の形態の車両用空調装置は、空調制御の処理性能を高めることができる。
【００７３】
第４の実施の形態：
本実施の形態の空調装置は、第１の実施の形態の空調装置１と同様に、空調装置本体２と、制御装置と、操作部４と、各センサ５〜８とを備えている（図１参照）。ここで、本実施の形態の制御装置では、第１の実施の形態〜第３の実施の形態で説明した内容と異なる部分を中心にして説明する。図１２は、本実施の形態を示す推定日射量算出処理のフローチャートである。以下に、この処理の内容について説明する。
【００７４】
本実施の形態の制御装置では、まず最初に、外気温値の検出開始から所定日数より長い所定期間を経過しているか否かを判断する（ステップＳＦ１）。制御装置は、外気温値の検出開始から所定期間を経過していると判断した場合には（ステップＳＦ１でＮＯ）、第１の実施の形態で説明した推定日射量算出処理（ステップＳＣ１〜ステップＳＣ２）と同じ内容の処理（ステップＳＦ２〜ステップＳＦ３）を行う。
【００７５】
一方、制御装置は、外気温値の検出開始から所定期間を経過していると判断した場合には（ステップＳＦ１でＹＥＳ）、季節毎の推定日射量の算出処理を行う。以下に、この処理を具体的に説明する。
【００７６】
制御装置は、まず最初に、ＲＡＭに保存されている最高気温データの平均値を算出する（ステップＳＦ４）。次に、制御装置は、外気温蓄積データの差分値を算出する（ステップＳＦ５）。このステップＳＦ５の処理内容は、第１の実施の形態で説明したステップＳＣ１の処理内容と同じものである。
【００７７】
次に、制御装置は、最高気温データの平均値が夏の閾値（例えば２５℃）よりも大きいか否かを判断する（ステップＳＦ６）。この夏の閾値は、制御装置のＲＯＭに保存されている。なお、乗員が操作部４からこの閾値を変更可能なように制御装置の構成内容を変更しても良い。
【００７８】
制御装置は、最高気温データの平均値が夏の閾値よりも大きいと判断した場合には（ステップＳＦ６でＹＥＳ）、現在の季節が夏であると判断する。その結果、制御装置は、ステップＳＦ５の処理で算出した外気温蓄積データの差分値において昼間の時間帯の幅を所定時間長く補正する（ステップＳＦ７）。この補正方法について以下に説明する。
【００７９】
通常の推定日射量の算出処理では、昼間の時間帯が、図１３に示すように標準の時間帯（春秋用の時間帯）に設定されている。具体的な昼間の時間帯は、６：００〜１８：００である。したがって、ステップＳＦ７の処理では、図１３に示すように、昼間の時間帯を春秋用から夏用に補正する。この夏用の時間帯は、例えば５：００〜１９：００である。その結果、昼間の時間帯の幅ａが二時間長くなる。
【００８０】
次に、制御装置は、図１３に示すように、夏用に補正した昼間の時間帯ａの差分値の量を春秋用の場合よりも所定量多く補正する（ステップＳＦ８）。次に、制御装置は、夜間の時間帯の差分値をゼロに補正して夏用の推定日射量を算出する（ステップＳＦ３）。次に、制御装置は、算出した夏用の推定日射量と、各センサ５〜８から得られた各温度値と、乗員が設定した温度や風量等の設定値に基づいて、通常の空調制御よりも強い空調制御を行う。これにより、乗員は、日射が強くても、空調装置本体の吹き出し口から吹き出される風量が増加したり、吹き出し温度が低くなるので、不快感を感じることがなくなる。
【００８１】
一方、制御装置は、最高気温データの平均値が夏の閾値よりも小さいと判断した場合には（ステップＳＦ６でＮＯ）、最高気温データの平均値が冬の閾値（例えば１２℃）よりも大きいか否かを判断する（ステップＳＦ９）。この冬の閾値は、制御装置のＲＯＭに保存されている。なお、乗員が操作部４からこの閾値を変更可能なように制御装置の構成内容を変更しても良い。
【００８２】
制御装置は、最高気温データの平均値が冬の閾値よりも大きいと判断した場合には（ステップＳＦ９でＹＥＳ）、現在の季節を春または秋と判断する。その結果、制御装置は、図１３に示すように、昼間の時間帯の幅ａを補正せずに、夜間の時間帯の差分値をゼロに補正して春秋用の推定日射量を算出する（ステップＳＦ３）。次に、制御装置は、算出した春秋用の推定日射量と、各センサ５〜８から得られた各温度値と、乗員が設定した温度や風量等の設定値とに基づいて通常の空調制御を行う。
【００８３】
一方、制御装置は、最高気温データの平均値が冬の閾値よりも小さいと判断した場合には（ステップＳＦ９でＮＯ）、現在の季節が冬であると判断する。その結果、制御装置は、ステップＳＦ５の処理で算出した外気温蓄積データの差分値において昼間の時間帯の幅を所定時間短く補正する（ステップＳＦ１０）。この補正方法について以下に説明する。
【００８４】
通常の推定日射量算出処理では、昼間の時間帯が、前述したように標準の時間帯（春秋用の時間帯）に設定されている。したがって、ステップＳＦ１０の処理では、図１３に示すように、昼間の時間帯を春秋用から冬用に補正する。この冬用の時間帯は、例えば７：００〜１７：００である。その結果、昼間の時間帯の幅ａが二時間短くなる。
【００８５】
次に、制御装置は、図１３に示すように、冬用に補正した昼間の時間帯ａの差分値の量を春秋用の場合よりも所定量少なく補正する（ステップＳＦ１１）。次に、制御装置は、夜間の時間帯の差分値をゼロに補正して冬用の推定日射量を算出する（ステップＳＦ３）。次に、制御装置は、算出した冬用の推定日射量と、各センサ５〜８から得られた各温度値と、乗員が設定した温度や風量等の設定値とに基づいて通常の空調制御よりも弱い空調制御を行う。これにより、乗員は、日射が弱い時には、空調装置本体の吹き出し口から吹き出される風量が必要以上に多くなったり、吹き出し温度が必要以上に高くなってしまうことがなくなるので、不快感を感じることがなくなる。
【００８６】
次に、制御装置は、推定日射量の算出後から所定期間が経過しているか否かを判断する（ステップＳＦ１２）。制御装置は、推定日射量の算出後から所定期間が経過していると判断した場合には（ステップＳＦ１２でＹＥＳ）、図４のステップＳＢ２以降の処理を行う。
【００８７】
このように、制御装置は、外気温値の検出開始から所定日数より長い所定期間毎に、季節毎の推定日射量算出処理を行う。なお、この処理に必要な所定期間は４０日が好ましい。この期間が４０日よりも短いと、処理に必要な最高気温データの量が十分ではないため、最高気温データの平均値の精度が低下し、その後の処理によって得られる推定日射量の精度が低下するおそれがある。一方、前記所定期間が４０日よりも長くなると、推定日射量の算出処理の処理間隔が長くなるので、その後の処理によって得られる推定日射量の精度が低下するおそれがある。
【００８８】
以上説明したように、本実施の形態の車両用空調装置においては、季節毎に日射量を推定して空調制御を行うようにしている。このため、本実施の形態の車両用空調装置は、季節が変わっても適切な空調制御を行うことが可能になる。よって、本実施の形態の車両用空調装置は、空調制御の処理性能をさらに高めることができる。なお、本実施の形態で説明した制御処理に、第２の実施の形態で説明した制御処理や、第３の実施の形態で説明した制御処理を付け加えるようにしても良い。
【００８９】
第５の実施の形態：
本実施の形態の空調装置は、第１の実施の形態の空調装置１と同様に、空調装置本体２と、制御装置と、操作部４と、各センサ５〜８とを備えている（図１参照）。ここで、本実施の形態の制御装置では、第１の実施の形態〜第４の実施の形態で説明した内容と異なる部分を中心にして説明する。
【００９０】
図１４は、本実施の形態を示す車両毎の推定日射量の模式図である。本実施の形態の制御装置では、通常の車両よりも日射の影響を大きく受ける車両（ルーフに窓がある車両等）の場合には、第１の実施の形態や第４の実施の形態で説明した処理によって得られた推定日射量を補正するように構成されている。
【００９１】
具体的には、算出した通常の車両用の推定日射量Ａ、Ｂ、Ｃに所定の重みを付け、さらにこれらの推定日射量Ａ、Ｂ、Ｃの立ち上がりを滑らかにするような補正をして、日射の影響を大きく受ける車両用の推定日射量Ａ１、Ｂ１、Ｃ１を得ている。さらに、制御装置は、得られたこれらの推定日射量Ａ１、Ｂ１、Ｃ１と、各センサ５〜８から得られた各温度値と、乗員が設定した温度や風量等の設定値とに基づいて車室内の空調制御を行う。
【００９２】
したがって、本実施の形態の空調装置では、日射の影響を大きく受ける車両であっても、適切な空調制御を行うことが可能になる。よって、本実施の形態の車両用空調装置は、空調制御の処理性能をさらに高めることができる。
【００９３】
また、これまで説明した実施の形態では、車両用空調装置が有するセンサとして、水温センサ５と、吸気温センサ６と、室内温センサ７と、外気温センサ８とを挙げている。しかし、少なくとも室内温センサ７と、外気温センサ８とを備えた車両用空調装置であれば、各実施の形態で説明した効果と同じ効果を得ることができる。
【００９４】
以上、本件発明にかかる実施の形態を例示したが、これらの実施の形態は本件発明の内容を限定するものではない。また、本件発明の請求項の範囲を逸脱しない範囲であれば、各種の変更等は可能である。
【産業上の利用可能性】
【００９５】
以上説明したように本件発明の車両用空調装置においては、外気温センサを用いて日射量を推定するようにしたので、製造コストを抑えて適切な空調制御を行うことができる。したがって、本件発明の車両用空調装置を、この装置の技術分野で十分に利用することができる。
【図面の簡単な説明】
【００９６】
【図１】本件発明の第１の実施の形態を示す車両用空調装置のブロック図である。
【図２】同実施の形態を示す外気温センサによる入力・保存処理のフローチャートである。
【図３】同実施の形態を示す外気温蓄積データと外気温平滑データのグラフである。
【図４】同実施の形態を示す外気温値の検出推定時刻算出処理のフローチャートである。
【図５】同実施の形態を示す外気温平滑データの差分値のグラフである。
【図６】図３において外気温平滑データのグラフの要部である。
【図７】同実施の形態を示す推定日射量算出処理のフローチャートである。
【図８】同実施の形態を示す外気温蓄積データの差分値のグラフである。
【図９】同実施の形態を示す外気温蓄積データの差分値の一日分のグラフである。
【図１０】本件発明の第２の実施の形態を示す外気温周期データ作成処理のフローチャートである。
【図１１】本件発明の第３の実施の形態を示す外気温周期データ作成処理のフローチャートである。
【図１２】本件発明の第４の実施の形態を示す推定日射量算出処理のフローチャートである。
【図１３】同実施の形態を示す季節毎の推定日射量の模式図である。
【図１４】本件発明の第５の実施の形態を示す車両毎の推定日射量の模式図である。
【符号の説明】
【００９７】
１    空調装置
３    制御装置
７    室内温センサ
８    外気温センサ
Ｄ１    外気温蓄積データ
Ｄ２    外気温平滑データ
Ｄ２ｍａｘ    最高気温データ
Ｄ２ｍｉｎ    最低気温データ
Ｄ３    外気温平滑データの差分値
Ｄ４    外気温蓄積データの差分値
【図１】
2009062008.tif 000003
【図２】
2009062008.tif 000004
【図３】
2009062008.tif 000005
【図４】
2009062008.tif 000006
【図５】
2009062008.tif 000007
【図６】
2009062008.tif 000008
【図７】
2009062008.tif 000009
【図８】
2009062008.tif 000010
【図９】
2009062008.tif 000011
【図１０】
2009062008.tif 000012
【図１１】
2009062008.tif 000013
【図１２】
2009062008.tif 000014
【図１３】
2009062008.tif 000015
【図１４】
2009062008.tif 000016